(57)【要約】【課題】スピーカ再生とヘッドホン再生の何れかを選択的に利用可能な機器において、リモコン機能とスピーカオンオフ機能を１本の端子で検出可能とする。【解決手段】オーディオ再生装置の本体１には、端子Ｂからシリーズに接続された複数の抵抗Ｒ１〜Ｒｎ（ｎは自然数）と、抵抗Ｒ１〜Ｒｎとグランド間に接続された複数の操作キーＳＷ１〜ＳＷｎと、端子Ｂとグランド間に接続された抵抗ＲＡとを有するヘッドホンリモコンユニット２が接続される。本体１では、端子Ｂと接続される端子Ａと、端子Ａをプルアップする抵抗ＲＣと、端子Ａの電圧変化を検知する比較器４と、比較器４の出力によりスピーカ８に出力するためのオーディオ信号をミュートするスピーカ制御部６と、端子Ａの電圧変化をデコードし操作情報を生成するＡ／Ｄキー入力部３とを備える。【選択図】図１
2005108372.tif 000002
【特許請求の範囲】
【請求項１】
第１の端子からシリーズに接続された複数の抵抗Ｒ１〜Ｒｎ（ｎは自然数）と、前記抵抗Ｒ１〜Ｒｎとグランド間に接続された複数の操作キーと、前記第１の端子とグランド間に接続された抵抗ＲＡとを有するヘッドホンリモコンユニットが接続されるオーディオ再生装置であって、
前記第１の端子と接続される第２の端子と、前記第２の端子をプルアップする抵抗ＲＣと、前記第２の端子の電圧変化を検知する比較器と、前記比較器の出力によりスピーカに出力するためのオーディオ信号をミュートするスピーカ制御部と、前記第２の端子の電圧変化をデコードし操作情報を生成する入力部とを備えたオーディオ再生装置。
【請求項２】
前記比較器は、前記第２の端子の電圧が所定値より低い状態を検知することにより、前記ヘッドホンリモコンユニットが接続されたことを検知する請求項１記載のオーディオ再生装置。
【請求項３】
前記比較器により前記ヘッドホンリモコンユニットの接続が検知された場合に、前記スピーカ制御部はオーディオ信号をミュートするよう制御し、前記入力部は操作情報の生成を行う請求項２記載のオーディオ再生装置。
【請求項４】
前記抵抗ＲＣと並列に接続される抵抗ＲＢと、前記抵抗ＲＢの接続をオン・オフするスイッチと、電源のオン・オフに応じて前記スイッチを制御する電源制御部とを備えた請求項１記載のオーディオ再生装置。
【請求項５】
前記電源制御部は、前記ヘッドホンリモコンユニットが接続され、かつ電源がオフの場合に、前記スイッチをオフとする請求項４記載のオーディオ再生装置。
【発明の詳細な説明】
【技術分野】
【０００１】
本発明は、スピーカ再生機能とヘッドホン再生機能とを有すオーディオ再生装置に関する。
【背景技術】
【０００２】
オーディオ再生装置には、ポータブル機器としてヘッドホンのみを利用して聞くタイプと、ステレオ装置のようにスピーカ出力によって聞くタイプに大別することができる。ステレオ装置においては、ヘッドホンを利用する場合、ヘッドホン端子にヘッドホンのプラグを差し込むことで、スピーカ出力からヘッドホン出力に切り換えることができる。
【０００３】
また、ポータブルタイプの機器では、操作性の向上を図るためにヘッドホンリモコンが利用される。このヘッドホンリモコンは、ヘッドホン端子とリモコン端子とを共用させ、ヘッドホンの近傍に設けられたリモコンにより本体を操作するものである（例えば、特許文献１を参照）。
【０００４】
また、製品によっては、スピーカ再生機能を有しながらも、機器の大きさやデザインの関係からヘッドホンリモコンによる操作を可能にしたい場合も考えられる。
【０００５】
このようなオーディオ再生装置としては、図２に示す構成のものが考えられる。
【０００６】
図２に示すブロック図において、１０はオーディオ再生装置の本体、２０はヘッドホンリモコンユニットである。ヘッドホンリモコンユニット２０は、ｎ個（ｎは自然数）の抵抗Ｒ１〜Ｒｎと、抵抗Ｒ１に接続されるヘッドホンプラグリモコン端子Ｂ、ＧＮＤ（グランド）に接続されるヘッドホンプラグＧＮＤ端子Ｄ，Ｆ、ｎ個の操作キーＳＷ１〜ＳＷｎからなる。本体１０は、Ａ／Ｄキー入力部３、スピーカ制御部６、スピーカ再生部７、スピーカ８、規定の直流電圧ＶＤＤにプルアップする抵抗ＲＥ，ＲＤ、Ａ／Ｄキー入力部３に接続されるヘッドホンリモコンジャック端子Ａ、抵抗ＲＥとスピーカ制御部６に接続されるヘッドホンリモコンジャック端子Ｃ、ＧＮＤに接続されるヘッドホンジャックＧＮＤ端子Ｅを有する。その他に電源部や信号処理部など有するが、ここでは省略する。
【０００７】
シリーズに接続されたｎ個の抵抗Ｒ１〜Ｒｎの各々とＧＮＤ間には、操作キーＳＷ１〜ＳＷｎが構成され、操作キーの何れかが操作されることでＡ／Ｄキー入力部３に入力される電圧値が変化する。Ａ／Ｄキー入力部３は電圧値をアナログ−デジタル変換することでコード化して、マイコン（図示せず）等に操作情報を与える。
【０００８】
一方、ヘッドホンリモコンユニット２０が本体１０に接続されているかどうか、即ちヘッドホン（図示せず）が本体１０に接続されているかどうかをヘッドホンジャック検出端子Ｃの電圧で検知することができる。即ち、ヘッドホンリモコンユニット２０が接続されている場合は、ヘッドホンジャック検出端子ＣはＧＮＤ電圧となり、非接続の場合は、規定の直流電圧ＶＤＤとなる。この電圧値の変化をスピーカ制御部６で検知し、スピーカ再生部７に与える。スピーカ再生部７は、ヘッドホンリモコンユニット２０が接続されている場合は、入力されるオーディオ信号をミュートし、非接続の場合は、スピーカ８から再生する。
【０００９】
このように、リモコン機能とスピーカのオン・オフ機能とを兼ね備えたものとすることができる。
【特許文献１】特開平７−２９２４６号公報
【発明の開示】
【発明が解決しようとする課題】
【００１０】
本体１０にスピーカを備えるオーディオ再生装置では、スピーカのオン・オフ機能に対応するために、ヘッドホンリモコンユニット２０の挿抜を検知するための、ヘッドホンプラグ検出端子Ｄとヘッドホンジャック検出端子Ｃとを接続する専用制御線が必要となり、ヘッドホンプラグの端子が増加し、また、専用の検出回路を必要とするので、プラグ・ジャックと回路のコストアップとなる。
【００１１】
本発明は、スピーカ再生とヘッドホン再生の何れかを選択的に利用可能な機器において、リモコン機能とスピーカオンオフ機能を１本の検出端子で可能とするオーディオ再生装置を提供することを目的とする。
【課題を解決するための手段】
【００１２】
この課題を解決するために本発明のオーディオ再生装置は、第１の端子からシリーズに接続された複数の抵抗Ｒ１〜Ｒｎ（ｎは自然数）と、抵抗Ｒ１〜Ｒｎとグランド間に接続された複数の操作キーと、第１の端子とグランド間に接続された抵抗ＲＡとを有するヘッドホンリモコンユニットが接続されるオーディオ再生装置であって、第１の端子と接続される第２の端子と、第２の端子をプルアップする抵抗ＲＣと、第２の端子の電圧変化を検知する比較器と、比較器の出力によりスピーカに出力するためのオーディオ信号をミュートするスピーカ制御部と、第２の端子の電圧変化をデコードし操作情報を生成する入力部とを備える。
【００１３】
これにより、ヘッドホンリモコンユニットの着脱に応じてスピーカをオン・オフする機能と、リモコンによる操作機能とを第２の端子の電圧変化により検出することができる。
【発明の効果】
【００１４】
以上のように本発明によれば、抵抗Ｒ１〜Ｒｎ及びＲＡと複数の操作キーからなるヘッドホンリモコンユニットの着脱に応じてスピーカをオン・オフする機能と、リモコンによる遠隔操作機能とを第２の端子の電圧変化により検出することによって、リモコン機能とスピーカのオン・オフ機能を１本の検出端子で実現することができ、簡便な構造によるコスト削減が可能なオーディオ再生装置とすることができる。
【発明を実施するための最良の形態】
【００１５】
本発明の第１の発明によるオーディオ再生装置は、第１の端子からシリーズに接続された複数の抵抗Ｒ１〜Ｒｎ（ｎは自然数）と、前記抵抗Ｒ１〜Ｒｎとグランド間に接続された複数の操作キーと、前記第１の端子とグランド間に接続された抵抗ＲＡとを有するヘッドホンリモコンユニットが接続されるオーディオ再生装置であって、前記第１の端子と接続される第２の端子と、前記第２の端子をプルアップする抵抗ＲＣと、前記第２の端子の電圧変化を検知する比較器と、前記比較器の出力によりスピーカに出力するためのオーディオ信号をミュートするスピーカ制御部と、前記第２の端子の電圧変化をデコードし操作情報を生成する入力部とを備えたものである。
【００１６】
また、第２の発明は、上記第１の発明において、前記比較器は、前記第２の端子の電圧が所定値より低い状態を検知することにより、前記ヘッドホンリモコンユニットが接続されたことを検知するものである。
【００１７】
また、第３の発明は、上記第２の発明において、前記比較器により前記ヘッドホンリモコンユニットの接続が検知された場合に、前記スピーカ制御部はオーディオ信号をミュートするよう制御し、前記入力部は操作情報の生成を行うものである。
【００１８】
また、第４の発明は、上記第１の発明において、前記抵抗ＲＣと並列に接続される抵抗ＲＢと、前記抵抗ＲＢの接続をオン・オフするスイッチと、電源のオン・オフに応じて前記スイッチを制御する電源制御部とを備えたものである。
【００１９】
また、第５の発明は、上記第４の発明において、前記電源制御部は、前記ヘッドホンリモコンユニットが接続され、かつ電源がオフの場合に、前記スイッチをオフとするものである。
【００２０】
これにより、ヘッドホンリモコンユニットの着脱によるスピーカのオン・オフ機能とリモコン機能とを少ない端子数で実現することができる。
【００２１】
以下、本発明の実施の形態について、図面を用いて説明する。
【００２２】
（実施の形態１）
図１は、本発明の実施の形態１によるオーディオ再生装置の構成を示すブロック図である。図１において、１はオーディオ再生装置の本体、２はヘッドホンリモコンユニットである。
【００２３】
ヘッドホンリモコンユニット２は、シリーズに接続されたｎ個（ｎは自然数）の抵抗Ｒ１〜Ｒｎと、抵抗Ｒ１〜Ｒｎの各々とＧＮＤ間に接続されたｎ個の操作キーＳＷ１〜ＳＷｎと、ヘッドホンプラグリモコン端子Ｂ（第１の端子に相当）及び抵抗Ｒ１と一方の端子が接続され、他方がＧＮＤに接続される抵抗ＲＡと、ヘッドホンプラグＧＮＤ端子Ｆとを備える。
【００２４】
本体１は、ヘッドホンジャックリモコン端子Ａ（第２の端子に相当）を規定の直流電圧ＶＤＤにプルアップする抵抗ＲＣと、制御ＳＷとシリーズに接続され、かつ抵抗ＲＣに並列に接続される抵抗ＲＢと、ヘッドホンジャックリモコン端子Ａの電圧を所定の電圧値と比較する比較器４と、ヘッドホンジャックリモコン端子Ａの電圧値をアナログ−デジタル変換しコード化して、マイコンなどに操作情報を与えるＡ／Ｄキー入力部３（入力部に相当）と、制御ＳＷのオン・オフを制御する電源制御部５と、スピーカ８と、スピーカ８に出力するオーディオ信号を与えるスピーカ再生部７と、スピーカ再生部７の出力を制御するスピーカ制御部６と、ヘッドホンプラグＧＮＤ端子Ｆに接続されるヘッドホンジャックＧＮＤ端子Ｅとを備える。また、比較器４の出力は、Ａ／Ｄキー入力部３、電源制御部５及びスピーカ制御部６に出力される。その他に、電源部、信号処理部、本体の操作部などを有するが、ここでは省略する。
【００２５】
また、ヘッドホン自体について説明を省略しているが、本体１からのオーディオ信号が、別途設けられる端子を介して、ヘッドホン（図示せず）に出力される。このヘッドホン用の端子は、ヘッドホンリモコンユニット２の各端子と共に構成される。
【００２６】
ヘッドホンリモコンユニット２が本体１に接続されていない状態では、ヘッドホンジャックリモコン端子Ａの電圧はＶＤＤにプルアップされている。この状態からヘッドホンリモコンユニット２が本体１に接続されると、端子Ａ〜端子Ｂ〜抵抗ＲＡ〜ＧＮＤと接続されるので、ヘッドホンジャックリモコン端子Ａの電圧がＶＤＤから下がる。この電圧値の低下を比較器４で監視することで、ヘッドホンリモコンユニット２が接続されたことが検知できる。よって、この比較器４の出力をスピーカ制御部６に与えることによって、スピーカ８に与えるオーディオ信号のオン・オフ（ミュート）をスピーカ再生部７で制御することができる。
【００２７】
一方、ヘッドホンリモコンユニット２の各種操作は、ＳＷ１〜ＳＷｎの何れかの操作により行われる。この操作によって、ヘッドホンジャックリモコン端子Ａの電圧値が変化する。この変化をＡ／Ｄキー入力部３でデコードすることで、操作情報を得る。なお、比較器４の出力により、ヘッドホンリモコンユニット２の接続の有無を検知できるので、接続された時点でＡ／Ｄキー入力部３を起動させることで、装置の省電力化を図ることができる。
【００２８】
ところで、ヘッドホンリモコンユニット２が接続されている状態では、抵抗ＲＣ、ＲＢ、ＲＡに電流が流れることになる。これは、ヘッドホンリモコンユニット２の操作で本体１を起動するように構成した場合、本体１の電源がＯＦＦの状態でも、抵抗ＲＣ，ＲＢ，ＲＡで電力を消費することになる。
【００２９】
そこで、本実施の形態では、ヘッドホンリモコンユニット２が接続され、かつ本体１の電源がオフの状態を、比較器４の出力と電源部からの信号とにより電源制御部５で検知し、この時に制御ＳＷをオフにする。よって、抵抗値が増加するので待機時の消費電力の削減を図ることができる。
【００３０】
以上のように本実施の形態によれば、従来に比べ端子数を削減した状態で、ヘッドホンリモコン機能とミュート機能とを実現することができる。
【００３１】
なお、本実施の形態では、スピーカ８を内蔵する装置としたが、スピーカ８を内蔵せずにスピーカ出力端子を備えるものであってもよい。
【産業上の利用可能性】
【００３２】
本発明にかかるオーディオ再生装置は、ヘッドホンリモコンユニットの着脱に応じてスピーカをオン・オフする機能と、リモコンによる操作機能とを所定の端子の電圧変化により検出することで、リモコン機能とスピーカオンオフ機能を１本の検出端子で実現することができ、簡便な構造によるコスト削減を可能とする効果を有し、スピーカ再生機能とヘッドホン再生機能とを有すオーディオ再生装置等として有用である。
【図面の簡単な説明】
【００３３】
【図１】本発明の実施の形態によるオーディオ再生装置の構成を示すブロック図
【図２】従来のオーディオ再生装置の構成を示すブロック図
【符号の説明】
【００３４】
１    本体
２    ヘッドホンリモコンユニット
３    Ａ／Ｄキー入力部
４    比較器
５    電源制御部
６    スピーカ制御部
７    スピーカ再生部
８    スピーカ
【図１】
2005108372.tif 000003
【図２】
2005108372.tif 000004